(57)【要約】      （修正有）【課題】セルラネットワークで使用されるユーザ装置による、位相ノイズトラッキング基準信号（ＰＮＴ−ＲＳ）をデータと共に送信する方法を提供する。【解決手段】ユーザ装置は、データ送信のために、復調基準信号（ＤＭＲＳ）のＰＮＴ−ＲＳへのマッピング形式を判定し、ＤＭＲＳ結果信号を、サブキャリアの第１リソースエレメントのためのＤＭＲＳのサブセットから生成する。ＤＭＲＳ結果信号を、第１リソースエレメントから、サブキャリアのＰＮＴ−ＲＳに割り当てられた第２リソースエレメントにコピーする。データ送信は、ＤＭＲＳ結果信号及びＰＮＴ−ＲＳを用いて送信される。【選択図】図８
2020162150.tif 000002
【特許請求の範囲】
【請求項１】
セルラネットワークで使用されるユーザ装置（９１０）であって、前記ユーザ装置（９１０）は、送受信機（１０１０）と、プロセッサ（１０２０）と、メモリ（１０３０）と、を備え、前記ユーザ装置（９１０）は、
データ送信のために、復調基準信号（ＤＭＲＳ）のＰＮＴ−ＲＳへのマッピング形式を判定し、
サブキャリアの第１リソースエレメントのためのＤＭＲＳのサブセットからＤＭＲＳ結果信号を生成し、
前記ＤＭＲＳ結果信号を、前記第１リソースエレメントから、前記サブキャリアの前記ＰＮＴ−ＲＳに割り当てられた第２リソースエレメントにコピーし、
前記ＤＭＲＳ結果信号及び前記ＰＮＴ−ＲＳを用いて前記データ送信を送信する様に構成される、ユーザ装置。
【請求項２】
請求項１に記載のユーザ装置（９１０）であって、
前記第１リソースエレメントは、第１直交周波数分割多重（ＯＦＤＭ）シンボルに関連付けられ、前記第１ＯＦＤＭシンボルに関連付けられる総てのリソースエレメントが、前記ＤＭＲＳ結果信号に使用される、ユーザ装置。
【請求項３】
請求項２に記載のユーザ装置（９１０）であって、
前記第２リソースエレメントは、第２ＯＦＤＭシンボルに関連付けられる、ユーザ装置。
【請求項４】
請求項１から３のいずれか１項に記載のユーザ装置（９１０）であって、
前記ＰＮＴ−ＲＳは、前記サブキャリアの総てのＯＦＤＭシンボルで連続する、ユーザ装置。
【請求項５】
請求項４に記載のユーザ装置（９１０）であって、
前記第１リソースエレメントをコピーすることは、複素値を、前記第１リソースエレメントから、前記ＰＮＴ−ＲＳにマッピングされた前記サブキャリアの前記ＯＦＤＭシンボルのそれぞれにコピーすることを含む、ユーザ装置。
【請求項６】
請求項５に記載のユーザ装置（９１０）であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、ユーザ装置。
【請求項７】
請求項１から６のいずれか１項に記載のユーザ装置（９１０）であって、
前記ＤＭＲＳ結果信号は、複数の隣接するＯＦＤＭシンボルを含む長さの直交カバーコード（ＯＣＣ）を用いて生成され、
前記ＤＭＲＳ結果信号をコピーすることは、前記複数の隣接するＯＦＤＭシンボルのそれぞれについて、各ＤＭＲＳ結果信号を各ＯＦＤＭシンボルにコピーすることを含む、ユーザ装置。
【請求項８】
請求項１から７のいずれか１項に記載のユーザ装置（９１０）であって、
前記送受信機（１０１０）は、マルチアンテナ受信機を含む、ユーザ装置。
【請求項９】
請求項１から８のいずれか１項に記載のユーザ装置（９１０）であって、
前記送受信機（１０１０）は、マルチアンテナ送信機を含む、ユーザ装置。
【請求項１０】
セルラネットワークのユーザ装置（９１０）による方法であって、
データ送信のために、復調基準信号（ＤＭＲＳ）のＰＮＴ−ＲＳへのマッピング形式を判定することと、
サブキャリアの第１リソースエレメントのためのＤＭＲＳのサブセットからＤＭＲＳ結果信号を生成することと、
前記ＤＭＲＳ結果信号を、前記第１リソースエレメントから、前記サブキャリアの前記ＰＮＴ−ＲＳに割り当てられた第２リソースエレメントにコピーすることと、
前記ＤＭＲＳ結果信号及び前記ＰＮＴ−ＲＳを用いて前記データ送信を送信することと、
を含む、方法。
【請求項１１】
請求項１０に記載の方法であって、
前記第１リソースエレメントは、第１直交周波数分割多重（ＯＦＤＭ）シンボルに関連付けられ、前記第１ＯＦＤＭシンボルに関連付けられる総てのリソースエレメントが、前記ＤＭＲＳ結果信号に使用される、方法。
【請求項１２】
請求項１１に記載の方法であって、
前記第２リソースエレメントは、第２ＯＦＤＭシンボルに関連付けられる、方法。
【請求項１３】
請求項１０から１２のいずれか１項に記載の方法であって、
前記ＰＮＴ−ＲＳは、前記サブキャリアの総てのＯＦＤＭシンボルで連続する、方法。
【請求項１４】
請求項１３に記載の方法であって、
前記第１リソースエレメントをコピーすることは、複素値を、前記第１リソースエレメントから、前記ＰＮＴ−ＲＳにマッピングされた前記サブキャリアの前記ＯＦＤＭシンボルのそれぞれにコピーすることを含む、方法。
【請求項１５】
請求項１４に記載の方法であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、方法。
【請求項１６】
請求項１０から１５のいずれか１項に記載の方法であって、
前記ＤＭＲＳ結果信号は、複数の隣接するＯＦＤＭシンボルを含む長さの直交カバーコード（ＯＣＣ）を用いて生成され、
前記ＤＭＲＳ結果信号をコピーすることは、前記複数の隣接するＯＦＤＭシンボルのそれぞれについて、各ＤＭＲＳ結果信号を各ＯＦＤＭシンボルにコピーすることを含む、方法。
【請求項１７】
請求項１０から１６のいずれか１項に記載の方法であって、
前記ユーザ装置（９１０）は、マルチアンテナ受信機を含む、方法。
【請求項１８】
請求項１０から１７のいずれか１項に記載の方法であって、
前記ユーザ装置（９１０）は、マルチアンテナ送信機を含む、方法。
【請求項１９】
セルラネットワークで使用されるネットワークノード（９１５）であって、前記ネットワークノード（９１５）は、送受信機（１１１０）と、プロセッサ（１１２０）と、メモリ（１１３０）と、を備え、前記ネットワークノード（９１５）は、
データ送信のために、復調基準信号（ＤＭＲＳ）のＰＮＴ−ＲＳへのマッピング形式を判定し、
サブキャリアの第１リソースエレメントのためのＤＭＲＳのサブセットからＤＭＲＳ結果信号を生成し、
前記ＤＭＲＳ結果信号を、前記第１リソースエレメントから、前記サブキャリアの前記ＰＮＴ−ＲＳに割り当てられた第２リソースエレメントにコピーし、
前記ＤＭＲＳ結果信号及び前記ＰＮＴ−ＲＳを用いて前記データ送信を送信する様に構成される、ネットワークノード。
【請求項２０】
請求項１９に記載のネットワークノード（９１５）であって、
前記第１リソースエレメントは、第１直交周波数分割多重（ＯＦＤＭ）シンボルに関連付けられ、前記第１ＯＦＤＭシンボルに関連付けられる総てのリソースエレメントが、前記ＤＭＲＳ結果信号に使用される、ネットワークノード。
【請求項２１】
請求項２０に記載のネットワークノード（９１５）であって、前記第２リソースエレメントは、第２ＯＦＤＭシンボルに関連付けられる、ネットワークノード。
【請求項２２】
請求項１９から２１のいずれか１項に記載のネットワークノード（９１５）であって、
前記ＰＮＴ−ＲＳは、前記サブキャリアの総てのＯＦＤＭシンボルで連続する、ネットワークノード。
【請求項２３】
請求項２２に記載のネットワークノード（９１５）であって、
前記第１リソースエレメントをコピーすることは、複素値を、前記第１リソースエレメントから、前記ＰＮＴ−ＲＳにマッピングされた前記サブキャリアの前記ＯＦＤＭシンボルのそれぞれにコピーすることを含む、ネットワークノード。
【請求項２４】
請求項２３に記載のネットワークノード（９１５）であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、ネットワークノード。
【請求項２５】
請求項１９から２４のいずれか１項に記載のネットワークノード（９１５）であって、
前記ＤＭＲＳ結果信号は、複数の隣接するＯＦＤＭシンボルを含む長さの直交カバーコード（ＯＣＣ）を用いて生成され、
前記ＤＭＲＳ結果信号をコピーすることは、前記複数の隣接するＯＦＤＭシンボルのそれぞれについて、各ＤＭＲＳ結果信号を各ＯＦＤＭシンボルにコピーすることを含む、ネットワークノード。
【請求項２６】
請求項１９から２５のいずれか１項に記載のネットワークノード（９１５）であって、
前記送受信機（１１１０）は、マルチアンテナ受信機を含む、ネットワークノード。
【請求項２７】
請求項１９から２６のいずれか１項に記載のネットワークノード（９１５）であって、
前記送受信機（１１１０）は、マルチアンテナ送信機を含む、ネットワークノード。
【請求項２８】
セルラネットワークのネットワークノード（９１５）による方法であって、
データ送信のために、復調基準信号（ＤＭＲＳ）のＰＮＴ−ＲＳへのマッピング形式を判定することと、
サブキャリアの第１リソースエレメントのためのＤＭＲＳのサブセットからＤＭＲＳ結果信号を生成することと、
前記ＤＭＲＳ結果信号を、前記第１リソースエレメントから、前記サブキャリアの前記ＰＮＴ−ＲＳに割り当てられた第２リソースエレメントにコピーすることと、
前記ＤＭＲＳ結果信号及び前記ＰＮＴ−ＲＳを用いて前記データ送信を送信することと、
を含む、方法。
【請求項２９】
請求項２８に記載の方法であって、
前記第１リソースエレメントは、第１直交周波数分割多重（ＯＦＤＭ）シンボルに関連付けられ、前記第１ＯＦＤＭシンボルに関連付けられる総てのリソースエレメントが、前記ＤＭＲＳ結果信号に使用される、方法。
【請求項３０】
請求項２９に記載の方法であって、
前記第２リソースエレメントは、第２ＯＦＤＭシンボルに関連付けられる、方法。
【請求項３１】
請求項２８から３０のいずれか１項に記載の方法であって、
前記ＰＮＴ−ＲＳは、前記サブキャリアの総てのＯＦＤＭシンボルで連続する、方法。
【請求項３２】
請求項３１に記載の方法であって、
前記第１リソースエレメントをコピーすることは、複素値を、前記第１リソースエレメントから、前記ＰＮＴ−ＲＳにマッピングされた前記サブキャリアの前記ＯＦＤＭシンボルのそれぞれにコピーすることを含む、方法。
【請求項３３】
請求項３２に記載の方法であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、方法。
【請求項３４】
請求項２８から３３のいずれか１項に記載の方法であって、
前記ＤＭＲＳ結果信号は、複数の隣接するＯＦＤＭシンボルを含む長さの直交カバーコード（ＯＣＣ）を用いて生成され、
前記ＤＭＲＳ結果信号をコピーすることは、前記複数の隣接するＯＦＤＭシンボルのそれぞれについて、各ＤＭＲＳ結果信号を各ＯＦＤＭシンボルにコピーすることを含む、方法。
【請求項３５】
請求項２８から３４のいずれか１項に記載の方法であって、
前記ネットワークノード（９１５）は、マルチアンテナ受信機を含む、方法。
【請求項３６】
請求項２８から３５のいずれか１項に記載の方法であって、
前記ネットワークノード（９１５）は、マルチアンテナ送信機を含む、方法。
【請求項３７】
位相ノイズトラッキング基準信号（ＰＮＴ−ＲＳ）を生成するための無線送信機（９１０，９１５）での方法であって、
データ送信のための復調基準信号（ＤＭＲＳ）とＰＮＴ−ＲＳとのマッピングを判定することと、
サブキャリアの第１リソースエレメントのためのＤＭＲＳのサブセットからＤＭＲＳ結果信号を生成することと、
前記ＤＭＲＳ結果信号を、前記第１リソースエレメントから、前記サブキャリアの前記ＰＮＴ−ＲＳに割り当てられた第２リソースエレメントにコピーすることと、
前記ＤＭＲＳ結果信号及び前記ＰＮＴ−ＲＳを用いて前記データ送信を送信することと、
を含む、方法。
【請求項３８】
請求項３７に記載の方法であって、
前記第１リソースエレメントは、第１直交周波数分割多重（ＯＦＤＭ）シンボルに関連付けられ、前記第１ＯＦＤＭシンボルに関連付けられる総てのリソースエレメントが、前記ＤＭＲＳ結果信号に使用される、方法。
【請求項３９】
請求項３８に記載の方法であって、
前記第２リソースエレメントは、第２ＯＦＤＭシンボルに関連付けられる、方法。
【請求項４０】
請求項３７から３９のいずれか１項に記載の方法であって、
前記ＰＮＴ−ＲＳは、前記サブキャリアの総てのＯＦＤＭシンボルで連続する、方法。
【請求項４１】
請求項４０に記載の方法であって、
前記第１リソースエレメントをコピーすることは、複素値を、前記第１リソースエレメントから、前記ＰＮＴ−ＲＳにマッピングされた前記サブキャリアの前記ＯＦＤＭシンボルのそれぞれにコピーすることを含む、方法。
【請求項４２】
請求項４１に記載の方法であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、方法。
【請求項４３】
請求項３７から４２のいずれか１項に記載の方法であって、
前記ＤＭＲＳ結果信号は、複数の隣接するＯＦＤＭシンボルを含む長さの直交カバーコード（ＯＣＣ）を用いて生成され、
前記ＤＭＲＳ結果信号をコピーすることは、前記複数の隣接するＯＦＤＭシンボルのそれぞれについて、各ＤＭＲＳ結果信号を各ＯＦＤＭシンボルにコピーすることを含む、方法。
【請求項４４】
請求項３７から４３のいずれか１項に記載の方法であって、前記無線送信機（９１０，９１５）は、ネットワークノード（９１５）を含む、方法。
【請求項４５】
請求項３７から４４のいずれか１項に記載の方法であって、前記無線送信機（９１０，９１５）は、ユーザ装置（９１０）を含む、方法。
【請求項４６】
位相ノイズトラッキング基準信号（ＰＮＴ−ＲＳ）を生成するための無線送信機（９１０，９１５）であって、前記無線送信機は、送受信機と、メモリと、プロセッサと、を備え、
前記無線送信機は、
データ送信のための復調基準信号（ＤＭＲＳ）とＰＮＴ−ＲＳとのマッピングを判定し、
サブキャリアの第１リソースエレメントのための前記ＤＭＲＳのサブセットからＤＭＲＳ結果信号を生成し、
前記ＤＭＲＳ結果信号を、前記第１リソースエレメントから、前記サブキャリアの前記ＰＮＴ−ＲＳに割り当てられた第２リソースエレメントにコピーし、
前記ＤＭＲＳ結果信号及び前記ＰＮＴ−ＲＳを用いて前記データ送信を送信する様に構成される、無線送信機。
【請求項４７】
請求項４６に記載の無線送信機（９１０，９１５）であって、
前記第１リソースエレメントは、第１直交周波数分割多重（ＯＦＤＭ）シンボルに関連付けられ、前記第１ＯＦＤＭシンボルに関連付けられる総てのリソースエレメントが、前記ＤＭＲＳ結果信号に使用される、無線送信機。
【請求項４８】
請求項４７に記載の無線送信機（９１０，９１５）であって、
前記第２リソースエレメントは、第２ＯＦＤＭシンボルに関連付けられる、無線送信機。
【請求項４９】
請求項４６から４８のいずれか１項に記載の無線送信機であって、
前記ＰＮＴ−ＲＳは、前記サブキャリアの総てのＯＦＤＭシンボルで連続する、無線送信機。
【請求項５０】
請求項４９に記載の無線送信機（９１０，９１５）であって、
前記第１リソースエレメントをコピーするとき、前記プロセッサは、さらに、複素値を前記第１リソースエレメントから、前記ＰＮＴ−ＲＳにマッピングされた前記サブキャリアの前記ＯＦＤＭシンボルそれぞれにコピーするために命令を実行する動作が可能である、無線送信機。
【請求項５１】
請求項５０に記載の無線送信機（９１０，９１５）であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、無線送信機。
【請求項５２】
請求項４６から５１のいずれか１項に記載の無線送信機（９１０，９１５）であって、
前記ＤＭＲＳ結果信号は、複数の隣接するＯＦＤＭシンボルを含む長さの直交カバーコード（ＯＣＣ）を用いて生成され、
前記ＤＭＲＳ結果信号をコピーするとき、前記プロセッサは、さらに、前記プロセッサに、前記複数の隣接するＯＦＤＭシンボルのそれぞれについて、各ＤＭＲＳ結果信号を各ＯＦＤＭシンボルにコピーさせるための命令を実行する動作が可能である、無線送信機。
【請求項５３】
請求項４６から５２のいずれか１項に記載の無線送信機（９１０，９１５）であって、
前記無線送信機は、ネットワークノード（９１５）を含む、無線送信機。
【請求項５４】
請求項４６から５３のいずれか１項に記載の無線送信機（９１０，９１５）であって、
前記無線送信機は、ユーザ装置（９１０）を含む、無線送信機。
【請求項５５】
位相ノイズトラッキング基準信号（ＰＮＴ−ＲＳ）を生成するための無線受信機（９１０，９１５）での方法であって、
サブキャリアの第１直交周波数分割多重（ＯＦＤＭ）シンボルの復調基準信号（ＤＭＲＳ）のセットで第１チャネル推定を実行することと、
前記サブキャリアの前記第１ＯＦＤＭシンボルの第１位相ノイズ基準信号（ＰＮＴ−ＲＳ）リソースエレメントの第１位相ノイズ基準を判定することと、
前記サブキャリアの第２ＯＦＤＭシンボルの第２ＰＮＴ−ＲＳリソースエレメントの第２位相ノイズ基準を抽出することと、
前記第１位相ノイズ基準及び前記第２位相ノイズ基準を用いて前記第１チャネル推定の位相ノイズ補償を実行することにより第２チャネル推定を生成することと、
前記第２チャネル推定を用いて前記第２ＯＦＤＭシンボルでデータを受信することと、
を含む方法。
【請求項５６】
請求項５５に記載の方法であって、さらに、
ＤＭＲＳとＰＮＴ−ＲＳとのマッピングを取得することを含む、方法。
【請求項５７】
請求項５５又は５６に記載の方法であって、
ＤＭＲＳの前記セットは、前記第１ＯＦＤＭシンボルに関連付けられた複数のリソースエレメントを含む、方法。
【請求項５８】
請求項５５から５７のいずれか１項に記載の方法であって、
前記ＰＮＴ−ＲＳは、前記サブキャリアの総てのＯＦＤＭシンボルで連続する、方法。
【請求項５９】
請求項５８に記載の方法であって、
前記ＰＮＴ−ＲＳにマッピングされる前記サブキャリアの前記ＯＦＤＭシンボルのそれぞれは、前記ＤＭＲＳに関連付けられた複素値のコピーを含む、方法。
【請求項６０】
請求項５９に記載の方法であって、
前記複素値の各コピーは、前記ＰＮＴ−ＲＳにマッピングされた前記サブキャリアの前記ＯＦＤＭシンボルに渡り時間シフトされ、各ＰＮＴ−ＲＳは、ＣＰ期間だけシフトされる、方法。
【請求項６１】
請求項５５から６０のいずれか１項に記載の方法であって、
前記無線受信機（９１０，９１５）は、ネットワークノード（９１５）を含む、方法。
【請求項６２】
請求項５５から６１のいずれか１項に記載の方法であって、
前記無線受信機（９１０，９１５）は、ユーザ装置（９１０）を含む、方法。
【請求項６３】
位相ノイズトラッキング基準信号（ＰＮＴ−ＲＳ）を用いて位相ノイズをトラッキングする無線受信機（９１０，９１５）であって、前記無線受信機（９１０，９１５）は、送受信機と、プロセッサと、メモリと、を備え、前記無線受信機（９１０，９１５）は、
サブキャリアの第１直交周波数分割多重（ＯＦＤＭ）シンボルの復調基準信号（ＤＭＲＳ）のセットで第１チャネル推定を実行し、
前記サブキャリアの前記第１ＯＦＤＭシンボルの第１位相ノイズ基準信号（ＰＮＴ−ＲＳ）リソースエレメントの第１位相ノイズ基準を判定し、
前記サブキャリアの第２ＯＦＤＭシンボルの第２ＰＮＴ−ＲＳリソースエレメントの第２位相ノイズ基準を抽出し、
前記第１位相ノイズ基準及び前記第２位相ノイズ基準を用いて前記第１チャネル推定の位相ノイズ補償を実行することにより第２チャネル推定を生成し、
前記第２チャネル推定を用いて前記第２ＯＦＤＭシンボルでデータを受信する様に構成される、無線受信機。
【請求項６４】
請求項６３に記載の無線受信機（９１０，９１５）であって、さらに、
ＤＭＲＳとＰＮＴ−ＲＳとのマッピングを取得することを含む、無線受信機。
【請求項６５】
請求項６３又は６４に記載の無線受信機（９１０，９１５）であって、
ＤＭＲＳの前記セットは、前記第１ＯＦＤＭシンボルに関連付けられた複数のリソースエレメントを含む、無線受信機。
【請求項６６】
請求項６３から６５のいずれか１項に記載の無線受信機（９１０，９１５）であって、
前記ＰＮＴ−ＲＳは、前記サブキャリアの総てのＯＦＤＭシンボルで連続する、無線受信機。
【請求項６７】
請求項６６に記載の無線受信機（９１０，９１５）であって、
前記ＰＮＴ−ＲＳにマッピングされた前記サブキャリアの前記ＯＦＤＭシンボルのそれぞれは、前記ＤＭＲＳに関連付けられた複素値のコピーを含む、無線受信機。
【請求項６８】
請求項６７に記載の無線受信機（９１０，９１５）であって、
前記複素値の各コピーは、前記ＰＮＴ−ＲＳにマッピングされた前記サブキャリアの前記ＯＦＤＭシンボルに渡り時間シフトされ、各コピーは、ＣＰ期間だけシフトされる、無線受信機。
【請求項６９】
請求項６４から６８のいずれか１項に記載の無線受信機（９１０，９１５）であって、
前記無線受信機は、ネットワークノード（９１５）を含む、無線受信機。
【請求項７０】
請求項６４から６９のいずれか１項に記載の無線受信機（９１０，９１５）であって、
前記無線受信機は、ユーザ装置（９１５）を含む、無線受信機。
【発明の詳細な説明】
【技術分野】
【０００１】
本願は、２０１７年２月９日に出願された、"復調基準信号を用いた位相ノイズトラッキング基準信号シーケンス生成のためのシステム及び方法"をその名称とする、米国仮出願Ｎｏ．６２／２９２，９９０の優先権を主張し、その開示は、本明細書に参照として組み込まれる。
【０００２】
本開示は、一般的に、無線通信に関し、より詳しくは、復調基準信号（ＤＭＲＳ）を用いた位相ノイズトラッキング基準信号（ＰＮＴ−ＲＳ）シーケンス生成のためのシステム及び方法に関する。
【背景技術】
【０００３】
通常、送信機と受信機との間の通信には、メッセージの送信を確実に受信できる様になる前において、時間及び／又は周波数のある形式の同期が必要である。ロングタームエボリューション（ＬＴＥ）の様なセルラ通信システムにおいて、基地局は、定期的な時間に狭帯域同期信号をブロードキャストする。これらの同期信号は、無線デバイスが、初期セルサーチを実行するためにシステムアクセスすることを可能にする。例えば、無線デバイスは、キャリア周波数、時間基準、セル識別子を発見することを含む同期手順を実行し得る。初期セルサーチを実行し、セル識別子を特定したＬＴＥ無線デバイスは、その後、同期信号より時間的に頻度高くシステム帯域幅に渡り送信されるセル特定基準信号への高精度同期を行うことにより、下りリンクへの初期同期を完了させることができる。無線デバイスは、ランダムアクセス手順を介してネットワークに接続し、そこでは、上りリンク時間同期が確立され、デバイスと基地局との間の通信が開始できる。送信機側及び受信機側での発振器のドリフトにより、無線デバイスは、基地局と通信している間、下りリンクの高精度周波数同期を定期的に実行する必要がある。
【０００４】
セル特定基準信号（ＣＲＳ）無しのＮＸのためのリーンフレーム構造が提案され、そこでは、高精度同期及び下りリンク（ＤＬ）物理データチャネル（ＰＤＣＨ）の復調に必要な代わりの基準信号がＰＤＣＨ伝送に組み込まれる。図１は、割り当て又はグラントを搬送する、ＰＤＣＨのＤＬ送信及び関連する物理下りリンク制御チャネル（ＰＤＣＣＨ）を示している。より詳しくは、図１は、サブフレームの最初の直交周波数分割多重（ＯＦＤＭ）シンボルがＰＤＣＣＨを含み、続くＯＦＤＭシンボルがＰＤＣＨを含むことを示している。
【０００５】
図１に示す様に、ＰＤＣＨの送信は、１サブフレームに限られ、或いは、サブフレームアグリゲーションの場合には複数のサブフレームに跨り得る。ユーザ装置（ＵＥ）としても参照される無線デバイスは、当該ＵＥに向けられたＰＤＣＣＨを検出し、スケジューリング情報からＰＤＣＨ関連情報を取得する。ある特定ユーザへのＰＤＣＣＨが、ＯＦＤＭサブキャリアのサブセットで搬送されている場合、ＵＥは、他のＵＥへのＰＤＣＣＨ送信を認識しない。ＰＤＣＣＨのマッピングは、分散又は集中配置され、図１は、後者の場合を示している。サブフレーム内のＯＦＤＭシンボル数は、システムデザインパラメータであり、一般的には、図示する例で使用されている４より大きい値であり得る。
【０００６】
図示する例において、ＰＤＣＣＨ及びＰＤＣＨは、主に復調基準信号（ＤＭＲＳ）として参照される、復調のための基準信号をそれぞれ有するが、それらは、本明細書で説明する様に、他のタイプの基準信号を潜在的に参照することもできる。ＤＭＲＳは、受信機が早期にチャネル推定を実行できる様に、サブフレームの早い段階で送信されるべきであり、それにより、受信機の処理時間が減少する。
【０００７】
ＮＸの文脈において、時間同期は、第１基準信号（例えば、時間同期信号（ＴＳＳ））を用いて行われ、粗い周波数同期は、同じ第１基準信号又は第２信号（例えば、周波数同期信号）を用いて行われる。これらの信号は、時間、周波数において、非常に高精度な同期を提供することが意図されていないことが観察され得る。ＯＦＤＭシステムにおいて時間誤差は、サイクリックプレフィクスで処理され、周波数誤差は、十分なサブキャリア間隔を持つことで処理され得る。しかしながら、（６４及び２５６ＱＡＭの様な）より高い変調方法と併せたＰＤＣＨの高ランク送信のパフォーマンスを制限しないためには、より良い周波数同期が必要である。現在の解決策（例えば、ＬＴＥでの様に）は、このためにＤＭＲＳ又はＣＲＳを再利用する。
【０００８】
より高いキャリア周波数での５Ｇシステムの配置において、無線リンクは、より低いキャリア周波数でのＬＴＥと比較し、幾つかの新たなプロパティを示す。基本的な変化の１つは、位相ノイズ問題が周波数により拡大され、これは、ＯＦＤＭシンボル内の総てのサブキャリアにおいて共通である位相ノイズを緩和するための新たな位相基準信号を必要とさせる。この基準信号は、上りリンク及び下りリンクの両方において必要とされ得る。この信号は、詳細なキャリア周波数同期及び位相ノイズ補償の両方のために使用され得ることが予見される。２番目に焦点を当てると、基準信号は、位相ノイズトラッキング基準信号（ＰＮＴ−ＲＳ）として参照され得る。
【０００９】
図２は、ＤＭＲＳ及びＰＮＴ−ＲＳを含む時間−周波数グリッドの例を示している。デザインは、依然、３ＧＰＰで仕様化されていないので、図示するデザインは単なる例である。図示する様に、基準信号は、時間連続で送信され、８つの直交ＤＭＲＳリソースを生成するために、長さ８のカバーコードが使用されると想定している。ＤＭＲＳリソースには、０〜７の番号が付与され、８つのＤＭＲＳポートと見なされ得る。図示する例において、異なる位相ノイズの４つの送信機をサポートするために、４つの異なるＰＮＴ−ＲＳが示されている。
【００１０】
ＰＮＴ−ＲＳは、ＤＭＲＳと共に送信される。よって、ＰＮＴ−ＲＳは、ＤＭＲＳ送信に使用されるサブキャリアのサブセット上のＰＤＣＨと共に送信される。ここで、ＤＭＲＳは、サブフレーム内、又は、サブフレームアグリゲーション内の早期の１つ又は幾つかのＯＦＤＭシンボルで送信されると想定し、ＰＮＴ−ＲＳは、各ＯＦＤＭシンボルで送信され得ると想定している。周波数領域におけるＤＭＲＳの密度は、ＰＮＴ−ＲＳの周波数領域の密度より非常に高い。この様に、ＤＭＲＳにより占有されるサブキャリアのセットは、ＰＮＴ−ＲＳにより占有されるサブキャリアのセットより非常に多い。通常、送信帯域幅に渡り平坦ではない無線チャネルに対し、位相ノイズにより生じる位相の不明確さは、総てのサブキャリアに同様にインパクトを与える。２つ以上のサブキャリアでＰＮＴ−ＲＳを送信する理由は、基本的には、処理ゲインを増加させることと同様に、周波数ダイバーシティを得るためである。
【００１１】
ＰＤＣＨのマルチレイヤ送信は、インタリーブされた周波数分割多重（ＦＤＭ）、コード分割多重（ＣＤＭ）、或いは、それらの両方により構成され得る直交ＤＭＲＳのセットを必要とする。インタリーブされたＦＤＭ又はＣＤＭは、ＬＴＥにおいてコム（ｃｏｍｂｓ）としても知られている。ＣＤＭは、例えば、ウォルシュ・アダマール・コード若しくはＤＦＴ、又は、符号領域で直交性を提供し得る任意の他のコードに基づく直交カバーコード（ＯＣＣ）を参照し得る。ある実施形態において、位相ノイズをサブフレーム内でトラッキングする必要があるとき、時間領域のＯＣＣは適切ではないかもしれない。さらに、ＮＸの場合には常にではないかもしれないが、ＤＭＲＳは、複数のＯＦＤＭシンボルで送信される必要がある。よって、サブキャリアがＰＮＴ−ＲＳによりブロックされると、利用可能ＤＭＲＳの最大数が制限され得る。
【発明の概要】
【発明が解決しようとする課題】
【００１２】
例えば、ＬＴＥの様な従来の同期無線システムにおいて、ネットワークと通信すること無しにＵＥが信号を見つけることができる様に、幾つかの信号は常に存在している。その様な信号の例は、プライマリ同期信号（ＰＳＳ）、セカンダリ同期信号（ＳＳＳ）及びＣＲＳを含む。このタイプの信号は、ＵＥがネットワークとの時間−周波数同期を維持することを可能にする。しかしながら、常にオンの信号は、無線システムに幾つかの複雑さを追加し、悪いエネルギ・パフォーマンスをもたらし、一定の干渉を与える。
【００１３】
幾つかの最近の解決策は、それらの信号を除去したリーン・システム・デザインを含む。これらのデザインの問題点は、同期手順がより複雑になり、データレートの減少との代償で、スペクトラムの大きな部分を用いたＰＮＴ−ＲＳとの観点でオーバヘッドが増加することである。例えば、高精度位相ノイズトラッキングのためには、必要な時間密度が高くなるので、ＤＭＲＳの再利用は不十分である。周波数のリソース密度は、復調パフォーマンスのために高くする必要があり、ＤＭＲＳデザインは、周波数選択性を考慮する。この様に、同じ信号が、復調及び位相ノイズトラッキングの両方に使用されると、不必要に高いオーバヘッドが生じ得る。
【００１４】
よって、個別のＰＮＴ−ＲＳが使用され得る。しかしながら、これは、ＤＭＲＳのために使用されるＯＦＤＭシンボルも位相ノイズを含み、よって、位相ノイズ基準を必要とするので、位相ノイズトラッキングに使用されるサブキャリアがブロックされるという問題を生じさせる。この様に、多数の直交ＤＭＲＳが、早期のＤＭＲＳで必要とされる場合、多数のＤＭＲＳの早期の配置には問題がある。
【課題を解決するための手段】
【００１５】
既存解決策の上述した問題に取り組むため、復調基準信号（ＤＭＲＳ）を用いた位相ノイズトラッキング基準信号（ＰＮＴ−ＲＳ）シーケンス生成のための方法及びシステムが開示される。より詳しくは、ＰＮＴ−ＲＳシーケンスは、有効なＤＭＲＳ信号から生成され得る。よって、総てのレイヤに渡り有効な、ＰＮＴ−ＲＳ及びＤＭＲＳの交点で送信されるシンボルは、ＰＮＴ−ＲＳに割り当てられた総ての他のリソースエレメントにコピーされ使用され得る。
【００１６】
ある実施形態によると、ユーザ装置が、セルラネットワークでの使用のために提供される。ユーザ装置は、送受信機、プロセッサ及びメモリを備えている。ユーザ装置は、データ送信のために、復調基準信号（ＤＭＲＳ）のＰＮＴ−ＲＳへのマッピング形式を判定する様に構成される。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００１７】
ある実施形態によると、セルラネットワークのユーザ装置による方法は、データ送信のために、復調基準信号（ＤＭＲＳ）のＰＮＴ−ＲＳへのマッピング形式を判定することを含む。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００１８】
ある実施形態によると、ネットワークノードが、セルラネットワークでの使用のために提供される。ネットワークノードは、送受信機、プロセッサ及びメモリを備えている。ネットワークノードは、データ送信のために、復調基準信号（ＤＭＲＳ）のＰＮＴ−ＲＳへのマッピング形式を判定する様に構成される。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００１９】
ある実施形態によると、セルラネットワークのネットワークノードによる方法は、データ送信のために、復調基準信号（ＤＭＲＳ）のＰＮＴ−ＲＳへのマッピング形式を判定することを含む。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００２０】
ある実施形態によると、ＰＮＴ−ＲＳを生成するための無線送信機での方法は、データ送信のため、ＤＭＲＳとＰＮＴ−ＲＳとのマッピングを判定することを含む。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００２１】
ある実施形態によると、ＰＮＴ−ＲＳを生成するための無線送信機は、送受信機、プロセッサ及びメモリを含む。無線デバイスは、データ送信のため、ＤＭＲＳとＰＮＴ−ＲＳとのマッピングを判定する様に構成される。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００２２】
ある実施形態によると、ＰＮＴ−ＲＳをトラッキングするための無線受信機での方法は、サブキャリアの第１直交周波数分割多重（ＯＦＤＭ）シンボルのＤＭＲＳのセットで第１チャネル推定を実行することを含む。第１位相ノイズ基準は、サブキャリアの第１ＯＦＤＭシンボルの第１リソースエレメントで判定される。第２位相ノイズ基準は、サブキャリアの第２ＯＦＤＭシンボルの第２リソースエレメントで抽出される。第２チャネル推定が、第１及び第２位相基準を用いて第１チャネル推定の位相ノイズ補償を実行することにより生成される。データは、第２チャネル推定を用いて第２ＯＦＤＭシンボルで受信される。
【００２３】
ある実施形態によると、位相ノイズトラッキング基準信号（ＰＮＴ−ＲＳ）をトラッキングするための無線受信機は、送受信機、プロセッサ及びメモリを含む。無線受信機は、サブキャリアの第１直交周波数分割多重（ＯＦＤＭ）シンボルの復調基準信号（ＤＭＲＳ）のセットで第１チャネル推定を実行する様に構成される。第１位相ノイズ基準は、サブキャリアの第１ＯＦＤＭシンボルの第１リソースエレメントで判定される。第２位相ノイズ基準は、サブキャリアの第２ＯＦＤＭシンボルの第２リソースエレメントで抽出される。第２チャネル推定が、第１及び第２位相ノイズ基準を用いて第１チャネル推定の位相ノイズ補償を実行することにより生成される。データは、第２チャネル推定を用いて第２ＯＦＤＭシンボルで受信される。
【００２４】
本開示のある実施形態は、１つ以上の技術的な利点を提供し得る。例えば、ある実施形態は、オーバヘッドの減少及びＤＭＲＳのためのより良いリソースの利用を可能にし、相当数の直交ＰＮＴ−ＲＳが存在する場合においてもサブフレームの早期の多くの数のＤＭＲＳを可能にする。位相ノイズトラッキングを可能にしながら、ＤＭＲＳのためのＯＦＤＭシンボルの総てのリソースエレメントを使用する他の公知解決策は無い。例えば、４つ以上の受信機アンテナを備えた上りリンク（ＵＬ）（又は下りリンク（ＤＬ）マルチユーザ多入力多出力（ＭＵ−ＭＩＭＯ）システムを考える。よって、より良いピーク対平均及び良い周波数補間プロパティの様なＯＦＤＭシンボルのＤＭＲＳのみを有する利点、周波数領域コム（ｃｏｍｂｓ）は、本開示のシステム及び技術無しではブロックされる。
【００２５】
他の利点は、当業者には容易に理解され得る。ある実施形態は、述べられた利点を有さず、或いは、述べられた利点の総て又は幾つかを有し得る。
【００２６】
開示する実施形態、それらの特徴及び利点の完全な理解のため、添付の図面を参照して以下に詳細な説明を行う。
【図面の簡単な説明】
【００２７】
【図１】割り当て又はグラントを搬送する、物理データチャネル（ＰＤＣＨ）及び関連する物理下りリンク制御チャネル（ＰＤＣＣＨ）の下りリンク送信を示す図。
【図２】復調基準信号（ＤＭＲＳ）及び位相ノイズトラッキング基準信号（ＰＮＴ−ＲＳ）を含む時間−周波数グリッドの例を示す図。
【図３】ある実施形態による、位相ノイズトラッキングのためのコピーされたＤＭＲＳシンボルを含む時間−周波数グリッドの例を示す図。
【図４】ある実施形態による、ＰＮＴ−ＲＳを用いた位相ノイズトラッキングのための無線受信機による方法の例を示すフロー図。
【図５】ある実施形態による、位相ノイズトラッキングのための仮想コンピューティングデバイスの例を示す図。
【図６】ある実施形態による、ＰＮＴ−ＲＳを用いた位相ノイズトラッキングのための無線受信機による方法の他の例を示すフロー図。
【図７】ある実施形態による、位相ノイズトラッキングのための仮想コンピューティングデバイスの他の例を示す図。
【図８】ある実施形態による、ＰＮＴ−ＲＳを生成するための無線送信機による方法の例を示すフロー図。
【図９】ある実施形態による、ＰＮＴ−ＲＳを生成するための仮想コンピューティングデバイスの例を示す図。
【図１０】ある実施形態による、時間において長さ２の直交カバーコード（ＯＣＣ）を用いる場合の位相ノイズトラッキングを含む時間−周波数グリッドの例を示す図。
【図１１】ある実施形態による、位相ノイズトラッキングのためのネットワーク１００の態様を示す図。
【図１２】ある実施形態による、位相ノイズトラッキングのための無線デバイスの例を示す図。
【図１３】ある実施形態による、位相ノイズトラッキングのためのネットワークノードの例を示す図。
【図１４】ある実施形態による、無線ネットワークコントローラ又はコアネットワークノードの例を示す図。
【発明を実施するための形態】
【００２８】
ある実施形態によると、位相ノイズトラッキング基準信号（ＰＮＴ−ＲＳ）シーケンスは、送信される有効な復調基準信号（ＤＭＲＳ）から生成される。より詳しくは、ＰＮＴ−ＲＳ及びＤＭＲＳの交点で送信されるＤＭＲＳシンボルは、ＰＮＴ−ＲＳに割り当てられた総ての他のリソースエレメントにコピーされ使用され得る。図３は、位相ノイズトラッキングのためにコピーされたＤＭＲＳシンボルを含む時間−周波数グリッドの例を示している。図示する様に、ＰＮＴ−ＲＳ０は、同じサブキャリアのＤＭＲＳリソースエレメントのコピーとして示されている。
【００２９】
ある実施形態において、ＤＭＲＳ信号は、リソースエレメントで送信される複素値としてコピーされ得る。これは、信号が、コピーされて第２ＯＦＤＭシンボルへ時間シフトされた既知信号であると、受信機が想定し得ることを暗示する。ある実施形態において、受信機は、信号が時間的に連続であると想定し得る。例えば、ＰＮＴ−ＲＳの以前のコピーそれぞれがサイクリックプレフィクス（ＣＰ）として動作できる様に、各コピーは、ＣＰ期間だけシフトされ得る。
【００３０】
位相ノイズトラッキングの例示的な技術は、受信機及び送信機の両方において実行され得る。図４は、ある実施形態による、ＰＮＴ−ＲＳを用いた位相ノイズトラッキングのための無線受信機による方法２００の例を示すフロー図である。ある実施形態において、無線受信機は、ネットワークノード又は無線デバイスを含み、それらの例が、図１１から１３を参照して以下に詳細に記述される。
【００３１】
方法は、ステップ２０２で、無線受信機がＤＭＲＳとＰＮＴ−ＲＳとのマッピングを判定することで開始する。ある実施形態において、ＤＭＲＳのセットは、第１ＯＦＤＭシンボルに関連付けられる複数のリソースエレメントを含み得る。
【００３２】
ステップ２０４で、第１チャネル推定が、ＤＭＲＳのセットで実行される。ＤＭＲＳのセットは、第１ＯＦＤＭシンボルのサブキャリアで第１位相ノイズ基準として使用される第１リソースエレメントを含み得る。無線受信機は、ステップ２０６で、サブキャリアの第１ＯＦＤＭシンボルの第１リソースエレメントの第１位相ノイズ基準を判定し得る。ある実施形態において、ＰＮＴ−ＲＳは、サブキャリアの総てのＯＦＤＭシンボルにおいて連続的であり得る。
【００３３】
ステップ２０８で、無線受信機は、サブキャリアの第２ＯＦＤＭシンボルの第２リソースエレメントの第２位相ノイズ基準を抽出する。第１及び第２位相ノイズ基準を用いることで、ステップ２１０において、第１チャネル推定の位相ノイズ補償を実行することにより、第２ＯＦＤＭシンボルのために第２チャネル推定が生成され得る。ステップ２１２で、第２チャネル推定を用いて第２ＯＦＤＭシンボルでデータが受信される。
【００３４】
ある実施形態において、上述したＰＮＴ−ＲＳをトラッキングするための方法は、仮想コンピューティングデバイスにより実行され得る。図５は、ある実施形態による、ＰＮＴ−ＲＳをトラッキングするための仮想コンピューティングデバイス３００の例を示している。図示する様に、仮想コンピューティングデバイス３００は、図４に示す方法に関して上述したのと同様のステップを実行するモジュールを含み得る。例えば、仮想コンピューティングデバイス３００は、第１判定モジュール３１０、実行モジュール３２０、第２判定モジュール３３０、抽出モジュール３４０、生成モジュール３５０、受信モジュール３６０、及び、ＰＮＴ−ＲＳをトラッキングするための任意の他の適切なモジュールを含み得る。ある実施形態において、１つ以上のモジュールは、図１２及び１３に関して以下に記載する例示的なプロセッサの様な、プロセッサにより実現され得る。さらに、ある実施形態において、記述する種々のモジュールの２つ以上の機能は、単一モジュールに結合され得る。
【００３５】
第１判定モジュール３１０は、仮想コンピューティングデバイス３００の判定機能の総て又はある部分を実行し得る。例えば、ある実施形態において、第１判定モジュール３１０は、ＤＭＲＳとＰＮＴ−ＲＳとのマッピングを判定し得る。特定の実施形態において、第１判定モジュール３１０は、ネットワークノードからＤＭＲＳとＰＮＴ−ＲＳとのマッピングを受信し得る。他の実施形態において、第１判定モジュール３１０は、無線デバイスからＤＭＲＳとＰＮＴ−ＲＳとのマッピングを取得し得る。
【００３６】
実行モジュール３２０は、仮想コンピューティングデバイス３００の実行機能の総て又はある部分を実行し得る。例えば、ある実施形態において、第１実行モジュール３２０は、サブキャリアの第１ＯＦＤＭシンボルのＤＭＲＳのセットの第１チャネル推定を実行し得る。
【００３７】
第２判定モジュール３３０は、仮想コンピューティングデバイス３００の判定機能の総て又はある部分を実行し得る。例えば、ある実施形態において、第２判定モジュール３３０は、サブキャリアの第１ＯＦＤＭシンボルの第１リソースエレメントの第１位相ノイズ基準を判定し得る。
【００３８】
抽出モジュール３４０は、仮想コンピューティングデバイス３００の抽出機能の総て又はある部分を実行し得る。例えば、ある実施形態において、抽出モジュール３４０は、サブキャリアの第２ＯＦＤＭシンボルの第２リソースエレメントの第２位相ノイズ基準を抽出し得る。
【００３９】
生成モジュール３６０は、仮想コンピューティングデバイス３００の生成機能の総て又はある部分を実行し得る。例えば、ある実施形態において、生成モジュール３６０は、第１及び第２位相ノイズ基準を用いて、第１チャネル推定の位相ノイズ補償を実行することにより、第２チャネル推定を生成し得る。
【００４０】
受信モジュール３８０は、仮想コンピューティングデバイス３００の受信機能の総て又はある部分を実行し得る。例えば、ある実施形態において、受信モジュール３８０は、第２チャネル推定を用いて第２ＯＦＤＭシンボルのデータを受信し得る。
【００４１】
仮想コンピューティングデバイス３００の他の実施形態は、上述した任意の機能及び／又は追加の機能（上述した解決策をサポートするのに必要な任意の機能を含む）を含む、受信機の機能のある態様を提供するのに責任を負う、図５に示す以外の追加のコンポーネントを含み得る。受信機は、同じ物理的なハードウェアを有するコンポーネントを備え得るが、異なる無線アクセス技術をサポートする様に（例えば、プログラミングを介して）構成され、或いは、示したものとは部分的又は完全に異なる物理コンポーネントを含み得る。
【００４２】
図６は、ある実施形態による、ＰＮＴ−ＲＳを用いた位相ノイズトラッキングのための無線受信機による方法４００の他の例を示すフロー図である。ある実施形態において、無線受信機は、ネットワークノード又は無線デバイスを含み、それらの例示的な実施形態が、図１２から１３を参照して以下に詳細に記述される。方法４００は、ステップ４０２で、無線受信機がＤＭＲＳとＰＮＴ−ＲＳとのマッピングを判定すると開始する。
【００４３】
ステップ４０４で、第１チャネル推定が、ＤＭＲＳで実行される。ＤＭＲＳは、第１ＯＦＤＭシンボルのサブキャリアで第１位相ノイズ基準として使用される第１リソースエレメントを含み得る。例えば、特定の実施形態において、無線受信機は、復調基準信号のセットで第１チャネル推定を実行し、サブキャリアの第１ＯＦＤＭシンボルの第１リソースエレメントの第１位相ノイズ基準を判定し得る。
【００４４】
ステップ４０６で、サブキャリアの第２ＯＦＤＭシンボルの第２リソースエレメントの第２位相ノイズ基準が抽出される。
【００４５】
ステップ４０８で、第２ＯＦＤＭシンボルのため、当該チャネル推定の位相ノイズ補償が、第１及び第２位相ノイズ基準を用いて実行される。例えば、無線受信機は、第１及び第２位相ノイズ基準を用いて、第１チャネル推定の位相ノイズ補償を実行することにより、第２チャネル推定を生成し得る。
【００４６】
ステップ４１０で、第２チャネル推定を用いて第２ＯＦＤＭシンボルでデータが受信される。
【００４７】
ある実施形態において、上述したＰＮＴ−ＲＳをトラッキングするための方法は、仮想コンピューティングデバイスにより実行され得る。図７は、ある実施形態による、ＰＮＴ−ＲＳをトラッキングするための仮想コンピューティングデバイス５００の例を示している。図示する様に、仮想コンピューティングデバイス５００は、図６に示す方法に関して上述したのと同様のステップを実行するモジュールを含み得る。例えば、仮想コンピューティングデバイス５００は、判定モジュール５１０、第１実行モジュール５２０、抽出モジュール５３０、第２判定モジュール５４０、受信モジュール５５０、及び、ＰＮＴ−ＲＳをトラッキングするための任意の他の適切なモジュールを含み得る。ある実施形態において、１つ以上のモジュールは、図１２及び１３に関して以下に記載する例示的なプロセッサの様な、プロセッサにより実現され得る。さらに、ある実施形態において、記述する種々のモジュールの２つ以上の機能は、単一モジュールに結合され得る。
【００４８】
判定モジュール５１０は、仮想コンピューティングデバイス５００の判定機能の総て又はある部分を実行し得る。例えば、ある実施形態において、判定モジュール５１０は、ＤＭＲＳとＰＮＴ−ＲＳとのマッピングを判定し得る。特定の実施形態において、第１判定モジュール５１０は、ネットワークノードからＤＭＲＳとＰＮＴ−ＲＳとのマッピングを受信し得る。他の実施形態において、判定モジュール５１０は、無線デバイスからＤＭＲＳとＰＮＴ−ＲＳとのマッピングを取得し得る。
【００４９】
第１実行モジュール５２０は、仮想コンピューティングデバイス５００の実行機能の総て又はある部分を実行し得る。例えば、ある実施形態において、第１実行モジュール５２０は、ＤＭＲＳの第１チャネル推定を実行し得る。ある実施形態において、ＤＭＲＳは、ＤＭＲＳのセット又はサブセットを含み、それらは、第１ＯＦＤＭシンボルのサブキャリアの第１位相ノイズ基準として使用される第１リソースエレメントを含み得る。
【００５０】
抽出モジュール５３０は、仮想コンピューティングデバイス５００の抽出機能の総て又はある部分を実行し得る。例えば、ある実施形態において、抽出モジュール５３０は、サブキャリアの第２ＯＦＤＭシンボルの第２リソースエレメントの第２位相ノイズ基準を抽出し得る。
【００５１】
第２実行モジュール５４０は、仮想コンピューティングデバイス５００の実行機能の総て又はある部分を実行し得る。例えば、ある実施形態において、第２実行モジュール５４０は、第２ＯＦＤＭシンボルのため、第１及び第２位相ノイズ基準を用いて当該チャネル推定の位相ノイズ補償を実行し得る。
【００５２】
受信モジュール５５０は、仮想コンピューティングデバイス５００の受信機能の総て又はある部分を実行し得る。例えば、ある実施形態において、受信モジュール５５０は、第２チャネル推定を用いて第２ＯＦＤＭシンボルのデータを受信し得る。
【００５３】
仮想コンピューティングデバイス５００の他の実施形態は、上述した任意の機能及び／又は追加の機能（上述した解決策をサポートするのに必要な任意の機能を含む）を含む、受信機の機能のある態様を提供するのに責任を負う、図７に示す以外の追加のコンポーネントを含み得る。受信機は、同じ物理的なハードウェアを有するコンポーネントを備え得るが、異なる無線アクセス技術をサポートする様に（例えば、プログラミングを介して）構成され、或いは、示したものとは部分的又は完全に異なる物理コンポーネントを含み得る。
【００５４】
図８は、ある実施形態による、ＰＮＴ−ＲＳを生成するための無線送信機による方法６００の例を示すフロー図である。ある実施形態において、無線送信機は、ネットワークノード又は無線デバイスを含み、それらの例示的な実施形態が、図１２から１３を参照して以下に詳細に記述される。方法６００は、ステップ６０２で、無線送信機が、データ送信のためのＤＭＲＳとＰＮＴ−ＲＳとのマッピングを判定すると開始する。
【００５５】
ステップ６０４で、無線送信機は、サブキャリアのＤＭＲＳのセットの第１リソースエレメントのためのＤＭＲＳ結果信号を生成する。ある実施形態において、少なくとも１つのＤＭＲＳを含み、特定の実施形態においてはＤＭＲＳの総てを含み得るＤＭＲＳのサブセットから、ＤＭＲＳ結果信号は生成され得る。ある実施形態において、第１リソースエレメントは、第１ＯＦＤＭシンボルに関連付けられ、第１ＯＦＤＭに関連付けられる総てのリソースエレメントは、ＤＭＲＳ結果信号を生成するために使用され得る。
【００５６】
ステップ６０６で、無線送信機は、ＤＭＲＳ結果信号を、サブキャリアの関連付けられたＰＮＴ−ＲＳのリソースエレメントにコピーする。ある実施形態において、無線送信機は、ＤＭＲＳ結果信号を、第１リソースエレメントから、少なくともサブキャリアのＰＮＴ−ＲＳに割り当てられた第２リソースエレメントにコピーし得る。
【００５７】
ある実施形態において、ＰＮＴ−ＲＳは、サブキャリアの総てのＯＦＤＭシンボルにおいて連続的であり、無線送信機は、ＤＭＲＳ結果信号を、サブキャリアのＰＮＴ−ＲＳに割り当てられた総てのＯＦＤＭシンボルに割り当てられた総てのリソースエレメントにコピーし得る。例えば、特定の実施形態において、複素値が、第１リソースエレメントから、ＰＮＴ−ＲＳにマッピングされたサブキャリアのＯＦＤＭシンボルそれぞれにコピーされ得る。
【００５８】
ある実施形態において、第１リソースエレメントからのコピーは、サブキャリアに渡り時間シフトされ得る。例えば、複素値が、第１リソースエレメントから、ＰＮＴ−ＲＳにマッピングされたサブキャリアのＯＦＤＭシンボルそれぞれにコピーされる場合、複素値は、時間シフトされ得る。特定の実施形態において、ＰＮＴ−ＲＳにマッピングされたサブキャリアに渡る複素値のコピーそれぞれは、ＣＰ期間だけシフトされ得る。
【００５９】
例えば、特定の実施形態において、結果信号は、複数の隣接するＯＦＤＭシンボルに関連付けられた長さのＯＣＣを用いて生成され得る。第１リソースエレメントをコピーすることは、複数の隣接ＯＦＤＭシンボルのそれぞれについて、各ＤＭＲＳ結果信号を各ＯＦＤＭシンボルにコピーすることを含み得る。
【００６０】
ステップ６０８で、無線送信機は、ＤＭＲＳ結果信号及びＰＮＴ−ＲＳと共にデータ送信を送信する。
【００６１】
ある実施形態において、上述したＰＮＴ−ＲＳを生成するための方法は、仮想コンピューティングデバイスにより実行され得る。図９は、ある実施形態による、ＰＮＴ−ＲＳを生成するための仮想コンピューティングデバイス７００の例を示している。図示する様に、仮想コンピューティングデバイス7００は、図８に示す方法に関して上述したのと同様のステップを実行するモジュールを含み得る。例えば、仮想コンピューティングデバイス７００は、判定モジュール７１０、生成モジュール７２０、コピーモジュール７３０、送信モジュール７４０、及び、ＰＮＴ−ＲＳを生成するための任意の他の適切なモジュールを含み得る。ある実施形態において、１つ以上のモジュールは、図１２及び１３に関して以下に記載する例示的なプロセッサの様な、プロセッサにより実現され得る。さらに、ある実施形態において、記述する種々のモジュールの２つ以上の機能は、単一モジュールに結合され得る。
【００６２】
判定モジュール７１０は、仮想コンピューティングデバイス7００の判定機能の総て又はある部分を実行し得る。例えば、ある実施形態において、判定モジュール7１０は、ＤＭＲＳとＰＮＴ−ＲＳとのマッピングを判定し得る。特定の実施形態において、第１判定モジュール5１０は、ネットワークノードからＤＭＲＳとＰＮＴ−ＲＳとのマッピングを受信し得る。他の実施形態において、判定モジュール５１０は、無線デバイスからＤＭＲＳとＰＮＴ−ＲＳとのマッピングを取得し得る。
【００６３】
生成モジュール７２０は、仮想コンピューティングデバイス７００の生成機能の総て又はある部分を実行し得る。例えば、ある実施形態において、生成モジュール７２０は、生成を行い得る。
【００６４】
コピーモジュール７３０は、仮想コンピューティングデバイス７００のコピー機能の総て又はある部分を実行し得る。例えば、ある実施形態において、コピーモジュール７３０は、コピーを行い得る。
【００６５】
送信モジュール７４０は、仮想コンピューティングデバイス７００の送信機能を実行し得る。例えば、ある実施形態において、送信モジュール７４０は、送信を行い得る。
【００６６】
仮想コンピューティングデバイス７００の他の実施形態は、上述した任意の機能及び／又は追加の機能（上述した解決策をサポートするのに必要な任意の機能を含む）を含む、受信機の機能のある態様を提供するのに責任を負う、図９に示す以外の追加のコンポーネントを含み得る。受信機は、同じ物理的なハードウェアを有するコンポーネントを備え得るが、異なる無線アクセス技術をサポートする様に（例えば、プログラミングを介して）構成され、或いは、示したものとは部分的又は完全に異なる物理コンポーネントを含み得る。
【００６７】
ＤＭＲＳが時間における直交カバーコード（ＯＣＣ）を用いて生成されるシナリオの場合、位相基準の生成は、時間ＯＣＣコードのどれが、異なるレイヤのどれにマッピングされるかに応じて、送信の異なるレイヤにおいて異なり得る。この場合、完全な位相ノイズトラッキングは、可能でないかもしれない。一方、位相ノイズが低周波数で支配的であると、２つ以上の隣接ＯＦＤＭシンボルに渡る平均が使用され得る。
【００６８】
図１０は、ある実施形態による、時間において長さ２のＯＣＣを用いる場合の位相ノイズトラッキングを含む時間−周波数グリッド８００の例を示している。詳しくは、位相ノイズトラッキングは、２つのＯＦＤＭシンボルから各信号をコピーし、これをＰＮＴ−ＲＳのために、ＯＦＤＭシンボルの各２番目のペアに対して繰り返すことで実行される。この様に、２つの隣接するＯＦＤＭシンボルに渡る平均が使用される。
【００６９】
開示するある実施形態は、位相ノイズ補償にも応用できる。例えば、ある実施形態において、コピーされたＤＭＲＳ信号は、位相ノイズ補償を行うために使用され得る。送信は、チャネルのコヒーレント時間内に含まれると想定されるので、チャネル応答は、ＤＭＲＳ信号のコピー間で変化しない。そうではない場合、複数のＤＭＲＳが使用され、本開示の技術は、同じ送信内で複数回使用され得る。チャネルは送信時間間隔の間変化しないと想定されるので、ＤＭＲＳ信号の２つのコピーの差は、２つのＯＦＤＭシンボル間の位相ノイズ変動によるものと想定され得る。結果、この差はチャネル推定を補償するために使用され得る。
【００７０】
例えば、特定の実施形態において、ＤＭＲＳ信号の異なるコピーの複数のコピーは、コピー間の干渉の変動を除去するために適切なフィルタと共に使用され得る。このフィルタカーネルは、典型的には、チャネル推定及び位相ノイズの期待される周波数プロファイルに同調される。例えば、低周波数コンテンツの位相ノイズが支配的であると、フィルタカーネルは、ＰＮＴ−ＲＳの複数の時間インスタンスを使用し、高周波数コンテンツが支配的であると、フィルタカーネルは、単一インスタンスのみを使用し得る。
【００７１】
本開示の位相ノイズトラッキングのための技術は、ネットワークにより実行され得る。図１１は、ある実施形態による、ネットワーク９００の態様を示している。ネットワーク９００は、無線デバイス９１０又はＵＥ９１０としても参照され得る１つ以上の無線デバイス９１０Ａ〜Ｃと、ネットワークノード９１５又はｅＮｏｄｅＢ（ｅＮＢ）９１５としても参照され得るネットワークノード９１５Ａ〜Ｃを含む。無線デバイス９１０は、無線インタフェースを介してネットワークノード９１５と通信できる。例えば、無線デバイス９１０Ａは、１つ以上のネットワークノード９１５に無線信号を送信し、及び／又は、１つ以上のネットワークノード９１５から無線信号を受信し得る。無線信号は、音声トラフィック、データトラフィック、制御信号、及び／又は、任意の他の適切な情報を含み得る。幾つかの実施形態において、ネットワークノード９１５に関連付けられた無線信号カバレッジの領域は、セルとしても参照され得る。幾つかの実施形態において、無線デバイス９１０は、Ｄ２Ｄ能力を有し得る。この様に、無線デバイス９１０は、他の無線デバイスと直接信号の送受信を行うことができる。例えば、無線デバイス９１０Ａは、無線デバイス９１０Ｂと信号の送受信を行うことができる。
【００７２】
ある実施形態において、ネットワークノード９１５は、無線ネットワークコントローラ（図１１には示さず）とインタフェースし得る。無線ネットワークコントローラは、ネットワークノード９１５を制御し、ある種の無線リソース管理機能、モビリティ管理機能、及び／又は、他の適切な機能を提供し得る。ある実施形態において、無線ネットワークコントローラの機能は、ネットワークノード９１５に含まれ得る。無線ネットワークコントローラは、コアネットワークノードとインタフェースし得る。ある実施形態において、無線ネットワークコントローラは、相互接続ネットワークを介してコアネットワークノードとインタフェースし得る。相互接続ネットワークは、オーディオ、ビデオ、信号、データ、メッセージ、或いは、それらの任意の組み合わせを送信できる、任意の相互接続システムを参照し得る。相互接続ネットワークは、公衆回線交換電話ネットワーク（ＰＳＴＮ）、パブリック若しくはプライベートデータネットワーク、ローカルエリアネットワーク（ＬＡＮ）、メトロポリタンエリアネットワーク（ＭＡＮ）、ワイドエリアネットワーク（ＷＡＮ）、インターネットの様なローカル、地域若しくはグローバル通信又はコンピュータネットワーク、有線若しくは無線ネットワーク、企業イントラネット、或いは、それらの組み合わせを含む任意の他の適切な通信リンクの総て、或いは、部分を含み得る。
【００７３】
幾つかの実施形態において、コアネットワークノードは、通信セッションの確立と、無線デバイス９１０の種々の他の機能を管理し得る。無線デバイス９１０は、ノンアクセスストラタムレイヤを使用してコアネットワークノードとある信号を交換し得る。ノンアクセスストラタムシグナリングにおいて、無線デバイス９１０とコアネットワークノードとの間の信号は、無線アクセスネットワークをトランスペアレントに伝送され得る。ある実施形態において、ネットワークノード９１５は、ノード間インタフェースを介して１つ以上のネットワークノードとインタフェースし得る。例えば、ネットワークノード９１５Ａ及び９１５Ｂは、Ｘ２インタフェース（図示せず）を介してインタフェースし得る。
【００７４】
上述した様に、ネットワーク９００の例示的な実施形態は、１つ以上の無線デバイス９１０と、無線デバイス９１０と（直接又は間接的に）通信できる１つ以上の異なる種別のネットワークノード９１５と、を含み得る。無線デバイス９１０は、ネットワークノード９１５又は他の無線デバイス９１０と無線信号を介して通信できる任意種別の無線デバイスを参照し得る。無線デバイス９１０の例は、モバイルフォン、スマートフォン、ＰＤＡ（パーソナルデジタルアシスタント）、携帯型コンピュータ（例えば、ラップトップ、タブレット）、センサ、モデム、マシンタイプ通信（ＭＴＣ）デバイス／マシントゥマシン（Ｍ２Ｍ）デバイス、ラップトップエンベディッド装置（ＬＥＥ）、ラップトップマウンティッド装置（ＬＭＥ）、ＵＳＢドングル、Ｄ２Ｄ可能デバイス、又は、無線通信を提供できる他のデバイスを含む。無線デバイス９１０は、幾つかの実施形態において、ＵＥ、局（ＳＴＡ）、デバイス、又は、端末としても参照され得る。幾つかの実施形態において、一般的な用語"無線ネットワークノード"（或いは、単に、"ネットワークノード"）も使用される。それは、任意の種類のネットワークノードであり、ＮｏｄｅＢ、基地局（ＢＳ）、ＭＳＲ  ＢＳの様なマルチ標準無線（ＭＳＲ）無線ノード、ｅＮｏｄｅＢ、ネットワークコントローラ、無線ネットワークコントローラ（ＲＮＣ）、基地局コントローラ（ＢＳＣ）、中継器を制御する中継ドナーノード、ベース送受信機局（ＢＴＳ）、アクセスポイント（ＡＰ）、送信ポイント、送信ノード、ＲＲＵ、ＲＲＨ、分散アンテナシステム（ＤＡＳ）のノード、コアネットワークノード（例えば、ＭＳＣ、ＭＭＥ等）、Ｏ＆Ｍ、ＯＳＳ、ＳＯＮ、測位ノード（例えば、Ｅ−ＳＭＬＣ）、ＭＤＴ、又は、任意の適切なネットワークノードを含み得る。
【００７５】
ネットワークノード及びＵＥの様な用語は、制限しないものと見做され、特に、２つの間のあるハイアラーキの関係を暗示せず、一般的に、"ｅＮｏｄｅＢ"は、デバイス１と見做され、"ＵＥ"はデバイス２と見做され、これら２つのデバイスは、幾つかの無線チャネルを介して相互に通信する。無線デバイス８１０、ネットワークノード８１５、及び、他のネットワークノード（無線ネットワークコントローラ又はコアネットワークノードの様な）の例示的な実施形態の詳細について、図１２、１３及び１４をそれぞれ参照して説明する。
【００７６】
図１１は、ネットワーク９００の特定の構成を示しているが、本開示の種々の実施形態は、任意の適切な構成を有する種々のネットワークに適用し得る。例えば、ネットワーク９００は、任意の適切な数の無線デバイス９１０及びネットワークノード９１５と、無線デバイス間、或いは、無線デバイスと（有線電話の様な）他の通信デバイスとの間の通信をサポートする任意の追加の要素と、を含み得る。さらに、ロングタームエボリューション（ＬＴＥ）ネットワークに実装されたある実施形態について説明するが、実施形態は、任意の適切な通信標準をサポートし、任意の適切な構成要素を使用する任意の適切なタイプの通信システムで実装でき、無線デバイスが信号（例えば、データ）を送受信する任意の無線アクセス技術（ＲＡＴ）又はマルチＲＡＴシステムに適用できる。例えば、本開示の種々の実施形態は、ＬＴＥ、ＬＴＥアドバンスド、ＬＴＥ−ＵＭＴＳ、ＨＳＰＡ、ＧＳＭ、ＣＤＭＡ２０００、ＷｉＭａｘ、ＷｉＦｉ、他の適切な無線アクセス技術、或いは、１つ以上の無線アクセス技術の任意の適切な組み合わせに適用できる。ある実施形態を、下りリンクにおける無線送信の文脈で記載するが、本開示の種々の実施形態は、上りリンク及びその逆に同様に適用できる。
【００７７】
図１２は、ある実施形態による、無線デバイス９１０の例を示している。図示する様に、無線デバイス９１０は、送受信機１０１０と、プロセッサ１０２０と、メモリ１０３０と、を含む。幾つかの実施形態において、送受信機１０１０は、（例えば、アンテナを介して）ネットワークノード９１５と、無線信号の送受信を促進し、プロセッサ１０２０は、無線デバイス１０１０により提供される上述した機能の一部又は全部を提供するために、命令を実行し、メモリ１０３０は、プロセッサ１０２０により実行される命令を格納する。
【００７８】
プロセッサ１０２０は、命令を実行する１つ以上のモジュールで実装されるハードウェア及びソフトウェアの任意の適切な組み合わせを含み、無線デバイス１０１０の記述される機能の幾つか又は総てを実行するためにデータを操作する。幾つかの実施形態において、プロセッサ１０２０は、例えば、１つ以上のコンピュータ、１つ以上の中央処理ユニット（ＣＰＵ）、１つ以上のマイクロプロセッサ、１つ以上のアプリケーション、及び／又は、他のロジックを含み得る。
【００７９】
メモリ１０３０は、一般的に、１つ以上のロジック、ルール、アルゴリズム、コード、テーブル等、及び／又は、プロセッサにより実行され得る他の命令を含む、コンピュータプログラム、ソフトウェア、アプリケーションの様な命令を格納する様に動作する。メモリ１０３０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【００８０】
無線デバイス９１０の他の実施形態は、上述した任意の機能及び／又は追加の機能（上述した解決策をサポートするのに必要な任意の機能を含む）を含む、無線デバイスの機能のある態様を提供するのに責任を負う、図１１に示す以外の追加のコンポーネントを含み得る。
【００８１】
図１３は、ある実施形態による、ネットワークノード９１５の例を示している。ネットワークノード９１５は、任意種別の無線ネットワークノード、或いは、無線デバイス９１０及び／又は他のネットワークノードと通信する任意のネットワークノードであり得る。ネットワークノード９１５は、ホモジニアス配置、ヘテロジニアス配置、或いは、混合配置として、ネットワーク９００に渡り配置され得る。ホモジニアス配置は、一般的に、同じ（又は同様の）タイプのネットワークノード９１５、及び／又は、同様のカバレッジ、セルサイズ、及び、サイト間距離で構成される配置を示し得る。ヘテロジニアス配置は、一般的に、異なるセルサイズ、送信電力、容量、及び、サイト間距離を有する種々のタイプのネットワークノード９１５を使用する配置を示し得る。例えば、ヘテロジニアス配置は、マクロセル配置に渡り配置される複数の低電力ノードを含み得る。混合配置は、ホモジニアス部分とヘテロジニアス部分の混合を含み得る。
【００８２】
図示する様に、ネットワークノード９１５は、１つ以上の送受信機１１１０と、プロセッサ１１２０と、メモリ１１３０と、ネットワークインタフェース１１４０と、を含み得る。幾つかの実施形態において、送受信機１１１０は、（例えば、アンテナを介して）無線デバイス１１０と、無線信号の送受信を促進し、プロセッサ１１２０は、ネットワークノード９１５により提供される上述した機能の一部又は全部を提供するために、命令を実行し、メモリ１１３０は、プロセッサ１１２０により実行される命令を格納し、ネットワークインタフェース１１４０は、ゲートウェイ、スイッチ、ルータ、インターネット、公衆回線交換電話ネットワーク（ＰＳＴＮ）、コアネットワークノード、無線ネットワークコントローラ等の後方のネットワーク構成要素と信号を通信する。
【００８３】
ある実施形態において、ネットワークノード９１５は、マルチアンテナ技術を使用でき、複数のアンテナが設けられ、多入力多出力（ＭＩＭＯ）技術をサポートできる。１つ以上のアンテナは、偏波を制御可能であり得る。言い換えると、各エレメントは、２つの共置された、異なる偏波（例えば、クロス偏波として９０度だけ異なる）のサブエレメントを有し、異なるセットのビーム形成重みにより、異なる偏波の波を放出する。
【００８４】
プロセッサ１１２０は、命令を実行する１つ以上のモジュールで実装されるハードウェア及びソフトウェアの任意の適切な組み合わせを含み、ネットワークノード９１５の記述される機能の幾つか又はすべてを実行するためにデータを操作する。幾つかの実施形態において、プロセッサ１１２０は、例えば、１つ以上のコンピュータ、１つ以上の中央処理ユニット（ＣＰＵ）、１つ以上のマイクロプロセッサ、１つ以上のアプリケーション、及び／又は、他のロジックを含み得る。
【００８５】
メモリ１１３０は、一般的に、１つ以上のロジック、ルール、アルゴリズム、コード、テーブル等、及び／又は、プロセッサにより実行され得る他の命令を含む、コンピュータプログラム、ソフトウェア、アプリケーションの様な命令を格納する様に動作する。メモリ１１３０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【００８６】
幾つかの実施形態において、ネットワークインタフェース１１４０は、プロセッサ１１２０と通信可能に結合され、ネットワークノード９１５への入力を受信し、ネットワークノード９１５からの出力を送信し、入力、出力若しくは入出力の適切な処理を実行し、他のデバイスと通信し、或いは、それらの任意の組み合わせを行うことが可能な任意の適切なデバイスを参照する。ネットワークインタフェース１１４０は、ネットワークを介して通信するための、適切なハードウェア（例えば、ポート、モデム、ネットワークインタフェースカード等）と、プロトコル変換及びデータ処理能力を含みソフトウェアと、を含み得る。
【００８７】
ネットワークノード９１５の他の実施形態は、上述した任意の機能及び／又は追加の機能（上述した解決策をサポートするのに必要な任意の機能を含む）を含む、無線ネットワークノードの機能のある態様を提供するのに責任を負う、図１３に示す以外の追加のコンポーネントを含み得る。ネットワークノードの種々の異なるタイプは、同じ物理的なハードウェアを有するが、異なる無線アクセス技術をサポートする様に構成（例えば、プログラミングを介して）されたコンポーネント、或いは、部分的若しくは完全に異なる物理コンポーネントを含み得る。
【００８８】
図１４は、ある実施形態による、無線ネットワークコントローラ又はコアネットワークノード１２００の例を示している。ネットワークノードの例は、モバイル交換センタ（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）等である。無線ネットワークコントローラ又はコアネットワークノード１２００は、プロセッサ１２２０と、メモリ１２３０と、ネットワークインタフェース１２４０と、を含む。幾つかの実施形態において、プロセッサ１２２０は、ネットワークノードにより提供される上述した機能の一部又は全部を提供するために命令を実行し、メモリ１２３０は、プロセッサ１２２０により実行される命令を格納し、ネットワークインタフェース１２４０は、ゲートウェイ、スイッチ、ルータ、インターネット、公衆回線交換電話ネットワーク（ＰＳＴＮ）、コアネットワークノード９１５、無線ネットワークコントローラ又はコアネットワークノードの等の任意の適切なノードと信号を通信する。
【００８９】
プロセッサ１２２０は、命令を実行する１つ以上のモジュールで実装されるハードウェア及びソフトウェアの任意の適切な組み合わせを含み、無線ネットワークコントローラ又はコアネットワークノード１２００の記述される機能の幾つか又はすべてを実行するためにデータを操作する。幾つかの実施形態において、プロセッサ１２２０は、例えば、１つ以上のコンピュータ、１つ以上の中央処理ユニット（ＣＰＵ）、１つ以上のマイクロプロセッサ、１つ以上のアプリケーション、及び／又は、他のロジックを含み得る。
【００９０】
メモリ１２３０は、一般的に、１つ以上のロジック、ルール、アルゴリズム、コード、テーブル等、及び／又は、プロセッサにより実行され得る他の命令を含む、コンピュータプログラム、ソフトウェア、アプリケーションの様な命令を格納する様に動作する。メモリ１２３０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【００９１】
幾つかの実施形態において、ネットワークインタフェース１２４０は、プロセッサ１２２０と通信可能に結合され、ネットワークノードへの入力を受信し、ネットワークノードからの出力を送信し、入力、出力若しくは入出力の適切な処理を実行し、他のデバイスと通信し、或いは、それらの任意の組み合わせを行うことが可能な任意の適切なデバイスを参照する。ネットワークインタフェース１２４０は、ネットワークを介して通信するための、適切なハードウェア（例えば、ポート、モデム、ネットワークインタフェースカード等）と、プロトコル変換及びデータ処理能力を含みソフトウェアと、を含み得る。
【００９２】
ネットワークノードの他の実施形態は、上述した任意の機能及び／又は追加の機能（上述した解決策をサポートするのに必要な任意の機能を含む）を含む、ネットワークノードの機能のある態様を提供するのに責任を負う、図１４に示す以外の追加のコンポーネントを含み得る。
【００９３】
ある実施形態によると、ユーザ装置が、セルラネットワークでの使用のために提供される。ユーザ装置は、送受信機、プロセッサ及びメモリを備えている。ユーザ装置は、データ送信のために、復調基準信号（ＤＭＲＳ）のＰＮＴ−ＲＳへのマッピング形式を判定する様に構成される。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００９４】
ある実施形態によると、セルラネットワークのユーザ装置による方法は、データ送信のために、復調基準信号（ＤＭＲＳ）のＰＮＴ−ＲＳへのマッピング形式を判定することを含む。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００９５】
ある実施形態によると、ネットワークノードが、セルラネットワークでの使用のために提供される。ネットワークノードは、送受信機、プロセッサ及びメモリを備えている。ネットワークノードは、データ送信のために、復調基準信号（ＤＭＲＳ）のＰＮＴ−ＲＳへのマッピング形式を判定する様に構成される。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００９６】
ある実施形態によると、セルラネットワークのネットワークノードによる方法は、データ送信のために、復調基準信号（ＤＭＲＳ）のＰＮＴ−ＲＳへのマッピング形式を判定することを含む。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００９７】
ある実施形態によると、ＰＮＴ−ＲＳを生成するための無線送信機での方法は、データ送信のためのＤＭＲＳとＰＮＴ−ＲＳとのマッピングを判定することを含む。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００９８】
ある実施形態によると、ＰＮＴ−ＲＳを生成するための無線送信機は、送受信機、プロセッサ及びメモリを含む。無線送信機は、データ送信のためのＤＭＲＳとＰＮＴ−ＲＳとのマッピングを判定する様に構成される。ＤＭＲＳ結果信号が、サブキャリアの第１リソースエレメントのためのＤＭＲＳのサブセットから生成される。ＤＭＲＳ結果信号は、第１リソースエレメントから、サブキャリアのＰＮＴ−ＲＳに割り当てられた第２リソースエレメントにコピーされる。データ送信は、ＤＭＲＳ結果信号及びＰＮＴ−ＲＳを用いて送信される。
【００９９】
ある実施形態によると、ＰＮＴ−ＲＳをトラッキングするための無線受信機での方法は、サブキャリアの第１直交周波数分割多重（ＯＦＤＭ）シンボルのＤＭＲＳのセットで第１チャネル推定を実行することを含む。第１位相ノイズ基準は、サブキャリアの第１ＯＦＤＭシンボルの第１リソースエレメントで判定される。第２位相ノイズ基準は、サブキャリアの第２ＯＦＤＭシンボルの第２リソースエレメントで抽出される。第２チャネル推定が、第１及び第２位相基準を用いて第１チャネル推定の位相ノイズ補償を実行することにより生成される。データは、第２チャネル推定を用いて第２ＯＦＤＭシンボルで受信される。
【０１００】
ある実施形態によると、位相ノイズトラッキング基準信号（ＰＮＴ−ＲＳ）をトラッキングするための無線受信機は、送受信機、プロセッサ及びメモリを含む。無線受信機は、サブキャリアの第１直交周波数分割多重（ＯＦＤＭ）シンボルの復調基準信号（ＤＭＲＳ）のセットの第１チャネル推定を実行する様に構成される。第１位相ノイズ基準は、サブキャリアの第１ＯＦＤＭシンボルの第１リソースエレメントで判定される。第２位相ノイズ基準は、サブキャリアの第２ＯＦＤＭシンボルの第２リソースエレメントで抽出される。第２チャネル推定が、第１及び第２位相基準を用いて第１チャネル推定の位相ノイズ補償を実行することにより生成される。データは、第２チャネル推定を用いて第２ＯＦＤＭシンボルで受信される。
【０１０１】
本開示のある実施形態は、１つ以上の技術的な利点を提供し得る。例えば、ある実施形態は、オーバヘッドの減少及びＤＭＲＳのより良いリソースの利用を可能にし、相当数の直交ＰＮＴ−ＲＳが存在する場合においてもサブフレームの早期の多くの数のＤＭＲＳを可能にする。位相ノイズトラッキングを可能にしながら、ＤＭＲＳのためのＯＦＤＭシンボルの総てのリソースエレメントを使用する他の公知解決策は無い。例えば、4つ以上の受信機アンテナを備えた上りリンク（ＵＬ）（又は下りリンク（ＤＬ）マルチユーザ多入力多出力（ＭＵ−ＭＩＭＯ）システムを考える。よって、より良いピーク対平均及び良い周波数補間プロパティの様なＯＦＤＭシンボルのＤＭＲＳのみを有する利点、周波数コムは、本開示のシステム及び技術無しではブロックされる。
【０１０２】
本開示の範囲を逸脱することなく、ここで述べたシステム及び装置に対する修正、追加、省略が行われ得る。システム及び装置のコンポーネントは、統合又は分離され得る。さらに、システム及び装置の動作は、より多くの、より少ない、或いは、他のコンポーネントで実行され得る。さらに、システム及び装置の動作は、ソフトウェア、ハードウェア、及び／又は、他のロジックを含む任意の適切な論理回路を使用して実現され得る。本開示で使用する"各"は、セットの各要素、又は、セットのサブセットの各要素を参照している。
【０１０３】
本開示の範囲を逸脱することなく、ここで述べた方法に対する修正、追加、省略が行われ得る。方法は、より多くの、より少ない、或いは、他のステップを含み得る。さらに、ステップは、任意の適切な順序で実行され得る。
【０１０４】
本開示について、ある実施形態により記述したが、当業者には、実施形態の変更及び組み合わせが明らかである。よって、実施形態の上述した説明は、本開示を拘束しない。以下の特許請求の範囲で定義される本開示の精神及び範囲から逸脱することなく、他の変更、置換、変形が可能である。
【図１】
2020162150.tif 000003
【図２】
2020162150.tif 000004
【図３】
2020162150.tif 000005
【図４】
2020162150.tif 000006
【図５】
2020162150.tif 000007
【図６】
2020162150.tif 000008
【図７】
2020162150.tif 000009
【図８】
2020162150.tif 000010
【図９】
2020162150.tif 000011
【図１０】
2020162150.tif 000012
【図１１】
2020162150.tif 000013
【図１２】
2020162150.tif 000014
【図１３】
2020162150.tif 000015
【図１４】
2020162150.tif 000016
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
ネットワークのユーザ装置による、位相ノイズトラッキング基準信号（ＰＮＴ−ＲＳ）をデータ送信と共に送信するための方法であって、
サブキャリアの第１リソースエレメントの復調基準信号（ＤＭＲＳ）シーケンスを用いて、前記サブキャリアの第２リソースエレメントのＰＮＴ−ＲＳの値を生成することであって、前記ＤＭＲＳは、直交周波数分割多重（ＯＦＤＭ）シンボルに割り当てられ、前記第１リソースエレメントは、前記ＤＭＲＳの前記ＯＦＤＭシンボルと前記ＰＮＴ−ＲＳのための前記サブキャリアとが交差するリソースエレメントである、前記生成することと、
前記データ送信、前記ＤＭＲＳ及び前記ＰＮＴ−ＲＳを前記ネットワークに送信することと、
を含む、方法。
【請求項２】
請求項１に記載の方法であって、
前記第１リソースエレメントは、第１ＯＦＤＭシンボルに関連付けられ、
前記第２リソースエレメントは、第２ＯＦＤＭシンボルに関連付けられる、方法。
【請求項３】
請求項１に記載の方法であって、
前記ＤＭＲＳは、複素値であり、
前記第１リソースエレメントの前記複素値は、前記ＰＮＴ−ＲＳに割り当てられた前記サブキャリアの各ＯＦＤＭシンボルの前記ＰＮＴ−ＲＳを生成するために使用される、方法。
【請求項４】
請求項１に記載の方法であって、
生成される前記ＰＮＴ−ＲＳは、前記サブキャリアの総てのＯＦＤＭシンボルで連続する、方法。
【請求項５】
請求項１に記載の方法であって、
前記ＰＮＴ−ＲＳは、前記ＤＭＲＳをコピーすることで生成される、方法。
【請求項６】
ネットワークの無線送信機による、位相ノイズトラッキング基準信号（ＰＮＴ−ＲＳ）をデータ送信と共に送信するための方法であって、
サブキャリアの第１リソースエレメントの復調基準信号（ＤＭＲＳ）シーケンスを用いて、前記サブキャリアの第２リソースエレメントのＰＮＴ−ＲＳの値を生成することであって、前記ＤＭＲＳは、直交周波数分割多重（ＯＦＤＭ）シンボルに割り当てられ、前記第１リソースエレメントは、前記ＤＭＲＳの前記ＯＦＤＭシンボルと前記ＰＮＴ−ＲＳのための前記サブキャリアとが交差するリソースエレメントである、前記生成することと、
前記データ送信、前記ＤＭＲＳ及び前記ＰＮＴ−ＲＳを無線受信機に送信することと、
を含む、方法。
【請求項７】
ネットワークのネットワークノードによる、位相ノイズトラッキング基準信号（ＰＮＴ−ＲＳ）をデータ送信と共に送信するための方法であって、
サブキャリアの第１リソースエレメントの復調基準信号（ＤＭＲＳ）シーケンスを用いて、前記サブキャリアの第２リソースエレメントのＰＮＴ−ＲＳの値を生成することであって、前記ＤＭＲＳは、直交周波数分割多重（ＯＦＤＭ）シンボルに割り当てられ、前記第１リソースエレメントは、前記ＤＭＲＳの前記ＯＦＤＭシンボルと前記ＰＮＴ−ＲＳのための前記サブキャリアとが交差するリソースエレメントである、前記生成することと、
前記データ送信、前記ＤＭＲＳ及び前記ＰＮＴ−ＲＳをユーザ装置に送信することと、
を含む、方法。
【請求項８】
位相ノイズトラッキング基準信号（ＰＮＴ−ＲＳ）をデータ送信と共に送信する、ネットワークのユーザ装置であって、
送受信機と、メモリと、プロセッサと、を備え、
前記ユーザ装置は、
サブキャリアの第１リソースエレメントの復調基準信号（ＤＭＲＳ）シーケンスを用いて、前記サブキャリアの第２リソースエレメントのＰＮＴ−ＲＳの値を生成することであって、前記ＤＭＲＳは、直交周波数分割多重（ＯＦＤＭ）シンボルに割り当てられ、前記第１リソースエレメントは、前記ＤＭＲＳの前記ＯＦＤＭシンボルと前記ＰＮＴ−ＲＳのための前記サブキャリアとが交差するリソースエレメントである、前記生成することと、
前記データ送信、前記ＤＭＲＳ及び前記ＰＮＴ−ＲＳを前記ネットワークに送信することと、を行う様に構成されている、ユーザ装置。
【請求項９】
請求項８に記載のユーザ装置であって、
前記第１リソースエレメントは、第１ＯＦＤＭシンボルに関連付けられ、
前記第２リソースエレメントは、第２ＯＦＤＭシンボルに関連付けられる、ユーザ装置。
【請求項１０】
請求項８に記載のユーザ装置であって、
前記ＤＭＲＳは、複素値であり、
前記ユーザ装置は、前記ＰＮＴ−ＲＳに割り当てられた前記サブキャリアの各ＯＦＤＭシンボルの前記ＰＮＴ−ＲＳを生成するために、前記第１リソースエレメントの前記複素値を使用する様に構成される、ユーザ装置。
【請求項１１】
請求項８に記載のユーザ装置であって、
生成される前記ＰＮＴ−ＲＳは、前記サブキャリアの総てのＯＦＤＭシンボルで連続する、ユーザ装置。
【請求項１２】
請求項８に記載のユーザ装置であって、
前記ＤＭＲＳをコピーすることにより前記ＰＮＴ−ＲＳを生成する様に構成される、ユーザ装置。
【外国語明細書】
2020162150000001.pdf